(57)【要約】【課題】有機性排水に対して消化処理及び脱窒処理を適切に管理できる水処理方法を提供する。【解決手段】有機性排水を含む被処理水を処理する水処理方法であって、被処理水を曝気して初期吸着処理する曝気工程と、前記曝気工程で初期吸着処理された被処理水をろ過するろ過工程と、前記ろ過工程で捕捉された固形物を消化処理する消化処理工程と、前記ろ過工程を経たろ過水を活性汚泥により脱窒する生物処理工程と、活性汚泥を前記生物処理工程から前記曝気工程に送る送泥工程と、前記生物処理工程で生物処理された処理水の窒素濃度に基づいて前記送泥工程で前記曝気工程に送る活性汚泥の量を調整する調整工程と、を備えている。【選択図】図１
2020203265.tif 000002
【特許請求の範囲】
【請求項１】
有機性排水を含む被処理水を処理する水処理方法であって、
被処理水を曝気して初期吸着処理する曝気工程と、
前記曝気工程で初期吸着処理された被処理水をろ過するろ過工程と、
前記ろ過工程で捕捉された固形物を消化処理する消化処理工程と、
前記ろ過工程を経たろ過水を活性汚泥により脱窒する生物処理工程と、
活性汚泥を前記生物処理工程から前記曝気工程に送る送泥工程と、
前記生物処理工程で生物処理された処理水の窒素濃度に基づいて前記送泥工程で前記曝気工程に送る活性汚泥の量を調整する調整工程と、
を備えている、水処理方法。
【請求項２】
前記調整工程は、前記処理水の窒素濃度が基準値より高い場合に、前記曝気工程に送る活性汚泥を減量する、請求項１記載の水処理方法。
【請求項３】
前記調整工程は、前記処理水の窒素濃度が基準値より低い場合に、前記曝気工程に送る活性汚泥を増量する、請求項１記載の水処理方法。
【請求項４】
有機性排水を含む被処理水を処理する水処理方法であって、
複数の曝気槽で被処理水を曝気して初期吸着処理する曝気工程と、
前記曝気工程で初期吸着処理された被処理水をろ過するろ過工程と、
前記ろ過工程で捕捉された固形物を消化処理する消化処理工程と、
前記ろ過工程を経たろ過水を活性汚泥により脱窒する生物処理工程と、
活性汚泥を前記生物処理工程から前記曝気工程に送る送泥工程と、
前記生物処理工程で生物処理された処理水の窒素濃度に基づいて前記送泥工程で送る曝気槽の数を調整する調整工程と、
を備えている、水処理方法。
【請求項５】
前記調整工程は、前記処理水の窒素濃度が基準値より高い場合に、活性汚泥を送泥する前記曝気槽の数を減少させる、請求項４記載の水処理方法。
【請求項６】
前記調整工程は、前記処理水の窒素濃度が基準値より低い場合に、活性汚泥を送泥する曝気槽の数を増加させる、請求項４記載の水処理方法。
【請求項７】
有機性排水を含む被処理水を処理する水処理方法であって、
被処理水を曝気して初期吸着処理する曝気工程と、
前記曝気工程で初期吸着処理された被処理水をろ過面が循環するフィルタでろ過するろ過工程と、
前記ろ過工程で捕捉された固形物を消化処理する消化処理工程と、
前記ろ過工程を経たろ過水を活性汚泥により脱窒する生物処理工程と、
活性汚泥を前記生物処理工程から前記曝気工程に送る送泥工程と、
前記生物処理工程で生物処理された処理水の窒素濃度に基づいて前記ろ過面の循環速度を調整する調整工程と、
を備えている、水処理方法。
【請求項８】
前記調整工程は、前記処理水の窒素濃度が基準値より高い場合に、前記ろ過面の循環速度を上昇させる、請求項７に記載の水処理方法。
【請求項９】
前記調整工程は、前記処理水の窒素濃度が基準値より低い場合に、前記ろ過面の循環速度を低下させる、請求項７に記載の水処理方法。
【請求項１０】
有機性排水を含む被処理水を処理する水処理装置であって、
被処理水を曝気して初期吸着処理する曝気装置と、
前記曝気装置で初期吸着処理された被処理水をろ過するろ過装置と、
前記ろ過装置で捕捉された固形物を消化処理する消化処理装置と、
前記ろ過装置を経たろ過水を活性汚泥により脱窒する生物処理装置と、
活性汚泥を前記生物処理装置から前記曝気装置に送る送泥装置と、
前記生物処理装置で生物処理された処理水の窒素濃度に基づいて前記送泥装置で前記曝気装置に送る活性汚泥の量を調整する調整装置と、
を備えている、水処理装置。
【請求項１１】
前記曝気装置が複数の曝気槽を備えて構成され、
前記調整装置は前記生物処理装置で生物処理された処理水の窒素濃度に基づいて前記送泥装置で前記曝気装置に送る曝気槽の数を調整する、請求項１０記載の水処理装置。
【発明の詳細な説明】
【技術分野】
【０００１】
本発明は、有機性排水を含む被処理水を処理する水処理方法及び水処理装置に関する。
【背景技術】
【０００２】
特許文献１に記載されているように、下水などの有機性排水を含む被処理水を固液分離し、沈殿成分でなる生汚泥を嫌気性消化処理してメタンガスを回収し、上澄みを嫌気好気法などにより生物処理して脱窒処理する水処理方法が採用されている。嫌気性消化処理して得られるメタンガスを用いて発電することで、商用電源からの受電量を低減して省エネルギーを図っている。
【０００３】
最初沈澱池で固液分離する場合には、沈殿しない微細なＳＳ及びＢＯＤや溶解性のＢＯＤが生汚泥側に取り込まれずに上澄み側に流出するため、嫌気性消化処理で生じるガス量が低下する。
【０００４】
沈殿しない微細なＳＳ及びＢＯＤや溶解性のＢＯＤを回収するために、活性汚泥の初期吸着作用を活用する方法が考えられている。初期吸着作用とは、主に活性汚泥中の好気性微生物が分泌する粘着性のゼラチン状物質によって被処理水中の微粒子及び溶解性のＢＯＤが活性汚泥の表面に集められる物理吸着作用をいう。
【０００５】
例えば、図５に示すように、初沈流入渠ＡからスクリーンＢで処理されて原水槽Ｃに貯水された被処理水を曝気槽Ｄで曝気状態の活性汚泥と接触させて初期吸着処理を行ない、その後に沈殿槽Ｅで固液分離して沈殿成分を消化処理設備に供給し、上澄みを生物処理設備に供給して脱窒処理する水処理方法である。図５中、符号Ｆは有機及び無機凝結剤添加装置であり、符号Ｇは有機凝集剤添加装置である。
【０００６】
しかし、上述した水処理方法では、曝気槽と沈澱槽を設置する必要があり、最初沈澱池を用いた単純な分離方法と比較すると設備の所要スペースが増加するという問題があった。
【０００７】
そこで、最初沈澱池の代替設備として、特許文献２に記載されたような微細なフィルタで原水をろ過するロータリーフィルタを用いることも可能であるが、溶解性のＢＯＤを捕捉することは困難であった。
【先行技術文献】
【特許文献】
【０００８】
【特許文献１】特開昭５９−１０４００号公報
【特許文献２】ＷＯ２０１５−１４２５８６号公報
【発明の概要】
【発明が解決しようとする課題】
【０００９】
図５に示した従来の水処理方法では、曝気槽Ｄの滞留時間が０．５時間程度、沈澱池Ｅの滞留時間が１．５時間程度、合計で２時間と長い時間を要するため、初期吸着処理で被処理水からＢＯＤを除去し過ぎて、固液分離された後の上澄みに対する生物処理で十分な脱窒処理を行なうことができなくなった場合に、例えば生物処理された処理水の窒素濃度に基づいて、充分な脱窒処理が行なわれていないと検出して、曝気槽ＤでのＢＯＤの除去率を低下するように運転を切り替えても、十分な脱窒処理が行なわれた処理水を得る迄に長い時間を要するという問題があった。
【００１０】
本発明の目的は、上述した問題点に鑑み、有機性排水に対して消化処理及び脱窒処理を適切に管理できる水処理方法及び水処理装置を提供する点にある。
【課題を解決するための手段】
【００１１】
上述の目的を達成するため、本発明による水処理方法の第一の特徴構成は、有機性排水を含む被処理水を処理する水処理方法であって、被処理水を曝気して初期吸着処理する曝気工程と、前記曝気工程で初期吸着処理された被処理水をろ過するろ過工程と、前記ろ過工程で捕捉された固形物を消化処理する消化処理工程と、前記ろ過工程を経たろ過水を活性汚泥により脱窒する生物処理工程と、活性汚泥を前記生物処理工程から前記曝気工程に送る送泥工程と、前記生物処理工程で生物処理された処理水の窒素濃度に基づいて前記送泥工程で前記曝気工程に送る活性汚泥の量を調整する調整工程と、を備えている点にある。
【００１２】
曝気工程で被処理水に含まれる微細なＳＳ及びＢＯＤや溶解性のＢＯＤが初期吸着され、ろ過工程で捕捉された固形物が微細なＳＳ及びＢＯＤとともに消化処理工程に送られて、効率的な消化処理が実行される。ろ過工程を経たろ過水は生物処理工程に送られて活性汚泥により脱窒処理される。生物処理工程で増加した活性汚泥が送泥工程によって曝気工程に送られることにより、曝気工程での初期吸着性能が維持される。そして、調整工程では生物処理工程で生物処理された処理水の窒素濃度に基づいて送泥工程によって曝気工程に送られる活性汚泥の量が調整されることにより、生物処理工程における適切な脱窒処理と、消化処理工程における効率的な消化処理が実現できる。
【００１３】
同第二の特徴構成は、上述の第一の特徴構成に加えて、前記調整工程は、前記処理水の窒素濃度が基準値より高い場合に、前記曝気工程に送る活性汚泥を減量する点にある。
【００１４】
処理水の窒素濃度が基準値より高い場合には、初期吸着処理におけるＢＯＤの除去率が上昇しているために脱窒効率が低下していると判断して、曝気工程に送る活性汚泥を減量して初期吸着処理の程度を調整することで、低下した脱窒効率が迅速に改善されるようになる。
【００１５】
同第三の特徴構成は、上述の第一の特徴構成に加えて、前記調整工程は、前記処理水の窒素濃度が基準値より低い場合に、前記曝気工程に送る活性汚泥を増量する点にある。
【００１６】
処理水の窒素濃度が基準値より低い場合には、初期吸着処理におけるＢＯＤの除去率が低下しているために脱窒効率が上昇していると判断して、曝気工程に送る活性汚泥を増量して初期吸着処理の程度を調整することで、脱窒効率を基準値に迅速に戻すことができるようになる。
【００１７】
同第四の特徴構成は、有機性排水を含む被処理水を処理する水処理方法であって、複数の曝気槽で被処理水を曝気して初期吸着処理する曝気工程と、前記曝気工程で初期吸着処理された被処理水をろ過するろ過工程と、前記ろ過工程で捕捉された固形物を消化処理する消化処理工程と、前記ろ過工程を経たろ過水を活性汚泥により脱窒する生物処理工程と、活性汚泥を前記生物処理工程から前記曝気工程に送る送泥工程と、前記生物処理工程で生物処理された処理水の窒素濃度に基づいて前記送泥工程で送る曝気槽の数を調整する調整工程と、を備えている点にある。
【００１８】
曝気工程で複数の曝気槽を用いて初期吸着処理する場合には、生物処理工程で生物処理された処理水の窒素濃度に基づいて送泥工程で送る曝気槽の数を調整する調整工程を設けることにより、生物処理工程における適切な脱窒処理と、消化処理工程における効率的な消化処理が実現できる。
【００１９】
同第五の特徴構成は、上述の第四の特徴構成に加えて、前記調整工程は、前記処理水の窒素濃度が基準値より高い場合に、活性汚泥を送泥する前記曝気槽の数を減少させる点にある。
【００２０】
処理水の窒素濃度が基準値より高い場合には、初期吸着処理におけるＢＯＤの除去率が上昇しているために脱窒効率が低下していると判断して、活性汚泥を返送する曝気槽の数を減少させることにより、曝気工程における初期吸着処理の程度を調整することで、低下した脱窒効率が迅速に改善されるようになる。
【００２１】
同第六の特徴構成は、上述の第四の特徴構成に加えて、前記調整工程は、前記処理水の窒素濃度が基準値より低い場合に、活性汚泥を送泥する曝気槽の数を増加させる点にある。
【００２２】
処理水の窒素濃度が基準値より低い場合には、初期吸着処理におけるＢＯＤの除去率が低下しているために脱窒効率が上昇していると判断して、活性汚泥を返送する曝気槽の数を増加させることにより、曝気工程に送る活性汚泥を増量して初期吸着処理の程度を調整することで、脱窒効率を基準値に迅速に戻すことができるようになる。
【００２３】
同第七の特徴構成は、有機性排水を含む被処理水を処理する水処理方法であって、被処理水を曝気して初期吸着処理する曝気工程と、前記曝気工程で初期吸着処理された被処理水をろ過面が循環するフィルタでろ過するろ過工程と、前記ろ過工程で捕捉された固形物を消化処理する消化処理工程と、前記ろ過工程を経たろ過水を活性汚泥により脱窒する生物処理工程と、活性汚泥を前記生物処理工程から前記曝気工程に送る送泥工程と、前記生物処理工程で生物処理された処理水の窒素濃度に基づいて前記ろ過面の循環速度を調整する調整工程と、を備えている点にある。
【００２４】
ろ過面が循環するフィルタを用いてろ過工程を実行する場合には、生物処理工程で生物処理された処理水の窒素濃度に基づいてろ過面の循環速度を調整する調整工程を設けることにより、生物処理工程における適切な脱窒処理と、消化処理工程における効率的な消化処理が実現できる。しかも、ろ過面が循環するフィルタであれば、沈澱池のような大きな設置面積を要することもない。
【００２５】
同第八の特徴構成は、上述の第七の特徴構成に加えて、前記調整工程は、前記処理水の窒素濃度が基準値より高い場合に、前記ろ過面の循環速度を上昇させる点にある。
【００２６】
処理水の窒素濃度が基準値より高い場合には、初期吸着処理におけるＢＯＤの除去率が上昇しているために脱窒効率が低下していると判断して、ろ過面の循環速度を上昇させることでろ過面に付着堆積する固形物層を薄くして微細なＳＳ及びＢＯＤや溶解性のＢＯＤの固形物側への捕捉を抑制することで、低下した脱窒効率が迅速に改善されるようになる。
【００２７】
同第九の特徴構成は、上述の第七の特徴構成に加えて、前記調整工程は、前記処理水の窒素濃度が基準値より低い場合に、前記ろ過面の循環速度を低下させる点にある。
【００２８】
処理水の窒素濃度が基準値より低い場合には、初期吸着処理におけるＢＯＤの除去率が低下しているために脱窒効率が上昇していると判断して、ろ過面の循環速度を低下させることでろ過面に付着堆積する固形物層を厚くして微細なＳＳ及びＢＯＤや溶解性のＢＯＤの固形物側への捕捉を促進することで、脱窒効率を基準値に迅速に戻すことができるようになる。
【００２９】
本発明による水処理装置の第一の特徴構成は、有機性排水を含む被処理水を処理する水処理装置であって、被処理水を曝気して初期吸着処理する曝気装置と、前記曝気装置で初期吸着処理された被処理水をろ過するろ過装置と、前記ろ過装置で捕捉された固形物を消化処理する消化処理装置と、前記ろ過装置を経たろ過水を活性汚泥により脱窒する生物処理装置と、活性汚泥を前記生物処理装置から前記曝気装置に送る送泥装置と、前記生物処理装置で生物処理された処理水の窒素濃度に基づいて前記送泥装置で前記曝気装置に送る活性汚泥の量を調整する調整装置と、を備えている点にある。
【００３０】
同第二の特徴構成は、上述の第一の特徴構成に加えて、前記曝気装置が複数の曝気槽を備えて構成され、前記調整装置は前記生物処理装置で生物処理された処理水の窒素濃度に基づいて前記送泥装置で前記曝気装置に送る曝気槽の数を調整する点にある。
【発明の効果】
【００３１】
以上説明した通り、本発明によれば、有機性排水に対して消化処理及び脱窒処理を適切に管理できる水処理方法及び水処理装置を提供することができるようになった。
【図面の簡単な説明】
【００３２】
【図１】（ａ）は本発明による水処理装置の説明図、（ｂ）は本発明による水処理方法を示す説明図
【図２】ろ過装置として用いるロータリーフィルタの説明図
【図３】本発明による水処理方法の説明図
【図４】（ａ）は、（ｂ）は第４の実施形態による有機性排水処理装置の説明図
【図５】曝気槽及び沈殿槽を備え、曝気槽で初期吸着処理を行なう従来の水処理装置の説明図
【発明を実施するための形態】
【００３３】
以下、本発明による水処理方法及び水処理装置を、図面に基づいて説明する。
図１（ａ）には、下水などの有機性排水を含む被処理水を処理する水処理装置１００が示されている。当該水処理装置１００は、被処理水を曝気して初期吸着処理する曝気装置１０と、曝気装置１０で初期吸着処理された被処理水をろ過するろ過装置２０と、ろ過装置２０で捕捉された固形物を消化処理する消化処理装置３０と、ろ過装置２０を経たろ過水を活性汚泥により脱窒する生物処理装置４０と、活性汚泥を生物処理装置４０から曝気装置１０に送る送泥装置５０と、生物処理装置４０で生物処理された処理水の窒素濃度に基づいて送泥装置５０で曝気装置１０に送る活性汚泥の量を調整する調整装置６０などを備えている。なお、曝気槽１０に供給される被処理水は予めスクリーン機構を介して大きな夾雑物は除去され、原水槽に充填されている。
【００３４】
曝気装置１０は単一または複数の曝気槽と各曝気槽の底部に設置された散気装置を備えて構成され、送泥装置５０により生物処理装置４０から送泥された活性汚泥が充填されている。
【００３５】
曝気装置１０に流入した被処理水が活性汚泥によって初期吸着処理され、被処理水に浮遊する微細なＳＳ及びＢＯＤや溶解性のＢＯＤが活性汚泥中の好気性微生物により分泌される粘着性のゼラチン状物質によって物理吸着される。
【００３６】
初期吸着処理された被処理水がろ過装置２０によって固液分離され、活性汚泥とともに固形分が消化処理装置３０に送られて嫌気性消化処理される。消化処理装置３０で発生するメタンガスは燃料ガスとして回収され、当該燃料ガスを熱源として得られる蒸気や燃焼ガスにより駆動される発電装置７０で発電される。
【００３７】
ろ過装置２０によって固液分離された液分は生物処理装置４０に送られて活性汚泥により消化脱窒処理され、浄化された処理水が河川などに放流される。生物処理装置４０として脱窒処理を行なう無酸素槽４１（図１（ｂ）参照。）と、膜分離装置４３（図１（ｂ）参照。）が浸漬配置された好気槽４２（図１（ｂ）参照。）を備えて構成され、膜分離活性汚泥法（ＭＢＲ）を採用した装置が好適に用いられる。曝気装置１０で微細なＳＳ及びＢＯＤや溶解性のＢＯＤが初期吸着されるので、膜分離装置４３で膜詰まりが発生し難くなる点で整合性がよい。
【００３８】
被処理水に含まれるアンモニア性窒素が好気槽４２で好気処理されて硝酸性窒素となり、硝酸性窒素が活性汚泥とともに無酸素槽４１に循環返送されて脱窒される。好気槽４２で好気処理されてＢＯＤが分解された被処理水は膜分離装置４３で固液分離されて処理水として取り出される。
【００３９】
なお、生物処理装置４０は膜分離活性汚泥法（ＭＢＲ）を採用するものに限るものではなく、循環式硝化脱窒法など脱窒処理可能な他のプロセスを採用するものであってもよい。
【００４０】
生物処理装置４０で生じる余剰汚泥の一部がポンプなどで構成される送泥装置５０を介して曝気装置１０に供給され、曝気装置１０で被処理水に対する初期吸着処理が行なわれる。
【００４１】
図２には、ろ過装置２０として好適に用いられるロータリーフィルタ装置２０の基本的な構成が示されている。ロータリーフィルタ装置２０は、一端面に被処理水の投入口２１が形成されたケーシング２２と、ケーシング２２の内部に収容されたフィルタ２３と、フィルタ２３によって捕捉された固形物を受止めて搬送するスクリューコンベア２４と、フィルタ２３を通過した液分を流出する排水路２６を備えている。
【００４２】
フィルタ２３は、被処理水の投入口２１側から斜め上方に傾斜する傾斜姿勢となるように、少なくとも２本のローラＲ１，Ｒ２間に架け渡された無端ベルトで構成され、ベルト面が３００〜５００μｍ程度の目幅のろ過面に形成されている。なお、ろ過面の目幅はこの値に限定されるものではなく、ろ過対象の特性に応じて適宜設定されるものである。
【００４３】
上述の無端ベルトが下方のローラＲ１から上方のローラＲ２に向けて循環移動する往路で被処理水に含まれる固形分がそのろ過面で捕捉され、上方のローラＲ２から下方のローラＲ１に向けて循環移動する復路でろ過面に捕捉された固形分がスクレーパ２５により取り除かれてスクリューコンベア２４に落下し、ケーシング２２の背面側に搬送される。また、投入口２１から流入した被処理水の液分はフィルタ２３を通過した後に排水路２４から排水される。
【００４４】
なお、ろ過装置２０は上述したロータリーフィルタ装置に限るものではなく、他にドラムスクリーン装置や高速ろ過装置などを用いることができる。何れのろ過装置２０を採用しても、従来の沈殿地を用いる場合よりも設置面積が小さなコンパクトな装置で構成できるようになる。
【００４５】
曝気装置１０で実行される初期吸着処理により被処理水に含まれるＢＯＤの除去率が目標値よりも上昇すると、生物処理装置４０の無酸素槽４１で脱窒処理に要するＢＯＤ濃度が低下して、充分な脱窒処理が困難になる虞がある。
【００４６】
そのため、当該水処理装置１００では、生物処理装置４０で生物処理された処理水の窒素濃度を窒素濃度計ＴＮ（図１（ｂ）参照。）で計測し、その値に基づいて曝気装置１０における初期吸着処理の程度を調整する調整装置６０を備えている。
【００４７】
以下、上述した水処理装置１００に備えた調整装置６０に視点を当てて、本発明の水処理方法を詳述する。
［水処理方法の第一の態様］
図１（ｂ）に示すように、水処理方法は、有機性排水を含む被処理水を処理する水処理方法であって、被処理水を曝気して初期吸着処理する曝気工程と、曝気工程で初期吸着処理された被処理水をろ過するろ過工程と、ろ過工程で捕捉された固形物を消化処理する消化処理工程と、ろ過工程を経たろ過水を活性汚泥により脱窒する生物処理工程と、活性汚泥を生物処理工程から曝気工程に送る送泥工程と、生物処理工程で生物処理された処理水の窒素濃度に基づいて送泥工程で曝気工程に送る活性汚泥の量を調整する調整工程と、を備えている。
【００４８】
上述した曝気装置１０により曝気工程が実行され、ろ過装置２０によりろ過工程が実行され、消化処理装置３０により消化処理工程が実行され、生物処理装置４０により生物処理工程が実行され、送泥装置５０により送泥工程が実行され、調整装置６０により調整工程が実行される。
【００４９】
曝気工程で被処理水に含まれる微細なＳＳ及びＢＯＤや溶解性のＢＯＤが初期吸着され、ろ過工程で捕捉された固形物が微細なＳＳ及びＢＯＤとともに消化処理工程に送られて、効率的な消化処理が実行される。ろ過工程を経たろ過水は生物処理工程に送られて活性汚泥により脱窒処理される。生物処理工程で増加した活性汚泥が送泥工程によって曝気工程に送られることにより、曝気工程での初期吸着性能が維持される。
【００５０】
曝気工程では、水理学的滞留時間ＨＲＴが０．５時間に設定され、溶存酸素濃度ＤＯは１ｍｇ／Ｌ程度に調整されている。なお、活性汚泥処理法では、水理学的滞留時間ＨＲＴが６．０時間に設定され、ＢＯＤの充分な取込みと分解処理が行なわれるのに対して、当該曝気工程では初期吸着処理を目的とするため、活性汚泥処理法と比較して非常に短いＨＲＴに設定されている。また、溶存酸素濃度を低く抑えることにより、消化処理の対象となる固液分の酸素含有量を低く抑えている。
【００５１】
調整工程では生物処理工程で生物処理された処理水の窒素濃度に基づいて送泥工程によって曝気工程に送られる活性汚泥の量が調整されることにより、生物処理工程における適切な脱窒処理と、消化処理工程における効率的な消化処理が実現されている。この場合、調整装置６０は、送泥装置５０を構成する送泥管に流れる汚泥量を調整するために、送泥管に備えたバルブ機構の開度や、送泥管に汚泥を供給するポンプの回転数を制御する制御装置などで構成することができる。図１（ｂ）中、符号ＴＮは窒素濃度計である。
【００５２】
調整工程では、処理水の窒素濃度が基準値より高い場合に、曝気工程に送る活性汚泥を減量し、処理水の窒素濃度が基準値より低い場合に、曝気工程に送る活性汚泥を増量する。
【００５３】
処理水の窒素濃度が基準値より高い場合には、初期吸着処理におけるＢＯＤの除去率が上昇しているために脱窒効率が低下していると判断して、曝気工程に送る活性汚泥を減量して初期吸着処理の程度を調整することで、低下した脱窒効率が迅速に改善されるようになる。
【００５４】
また、処理水の窒素濃度が基準値より低い場合には、初期吸着処理におけるＢＯＤの除去率が低下しているために脱窒効率が上昇していると判断して、曝気工程に送る活性汚泥を増量して初期吸着処理の程度を調整することで、脱窒効率を基準値に迅速に戻すことができるようになる。
【００５５】
この例では、曝気槽１０でＭＬＳＳが５００ｍｇ／Ｌ、無酸素槽４１でＭＬＳＳが７，５００ｍｇ／Ｌ、好気槽４２でＭＬＳＳが１０，５００ｍｇ／Ｌの各値に目標値が設定され、被処理水の流入量Ｑに対して、処理水の流出量Ｑ、好気槽４２から無酸素槽４１への循環汚泥量３Ｑ、生物処理装置４０から曝気装置１０への送泥量０．０３Ｑに調整される。
【００５６】
［水処理方法の第二の態様］
次に第二の態様を説明する。この態様では、曝気装置１０が複数の曝気槽（本実施形態では３槽）を備えて構成され、生物処理工程で生物処理された処理水の窒素濃度に基づいて送泥工程で送る曝気槽の数を調整する調整工程を備えている。
【００５７】
この様に、曝気工程で複数の曝気槽を用いて初期吸着処理する場合には、生物処理工程で生物処理された処理水の窒素濃度に基づいて送泥工程で送る曝気槽の数を調整する調整工程を設けることにより、生物処理工程における適切な脱窒処理と、消化処理工程における効率的な消化処理が実現できる。
【００５８】
この場合、調整装置６０は、複数の曝気槽のそれぞれ接続された送泥管に流れる汚泥量を調整するために、各送泥管に備えたバルブ機構を開閉調整する制御装置などで構成することができる。
【００５９】
調整工程では、処理水の窒素濃度が基準値より高い場合に、活性汚泥を送泥する曝気槽の数を減少させ、処理水の窒素濃度が基準値より低い場合に、活性汚泥を送泥する曝気槽の数を増加させる。
【００６０】
処理水の窒素濃度が基準値より高い場合には、初期吸着処理におけるＢＯＤの除去率が上昇しているために脱窒効率が低下していると判断して、活性汚泥を返送する曝気槽の数を減少させることにより、曝気工程における初期吸着処理の程度を調整することで、低下した脱窒効率が迅速に改善されるようになる。
【００６１】
また、処理水の窒素濃度が基準値より低い場合には、初期吸着処理におけるＢＯＤの除去率が低下しているために脱窒効率が上昇していると判断して、活性汚泥を返送する曝気槽の数を増加させることにより、曝気工程に送る活性汚泥を増量して初期吸着処理の程度を調整することで、脱窒効率を基準値に迅速に戻すことができるようになる。
【００６２】
送泥停止時間が短時間であれば曝気槽に充填された汚泥が腐敗する虞が無く、初期吸着量を抑制することができる。このとき、同時に曝気槽に備えた散気装置による散気量を抑制することで、初期吸着量を抑制することもできる。また、送泥停止することなく、曝気槽に備えた散気装置による散気量を抑制するだけであってもよい。散気量を抑制することにより初期吸着量を抑制することができる。
【００６３】
さらに、原水槽から各曝気槽に送水する被処理水の送水量を調整してもよい。例えば、処理水の窒素濃度が基準値より低い場合には、総量を一定に保ちながら曝気量を抑制した曝気槽への被処理水の供給量を増加させ、他の曝気槽への供給量を抑制してもよい。
【００６４】
送泥停止時間が長時間に及ぶ場合には、曝気槽に撹拌機構を備えて汚泥を撹拌することで汚泥の沈澱腐敗を回避する必要がある。撹拌機構を設けない場合には、送泥を停止し、或いは曝気を停止する曝気槽からドレン管を介して汚泥とともに被処理水を排出し、被処理水が貯留される原水槽に戻すように構成すればよい。
【００６５】
［水処理方法の第三の態様］
次に第三の態様を説明する。この態様では、ろ過装置２０に上述したロータリーフィルタ装置を備え、ろ過工程が、曝気工程で初期吸着処理された被処理水をろ過面が循環するフィルタでろ過するように構成されている。
【００６６】
調整工程では、生物処理工程で生物処理された処理水の窒素濃度に基づいてろ過面の循環速度を調整するように構成されている。
【００６７】
即ち、ろ過面が循環するフィルタを用いてろ過工程を実行する場合には、生物処理工程で生物処理された処理水の窒素濃度に基づいてろ過面の循環速度を調整する調整工程を設けることにより、生物処理工程における適切な脱窒処理と、消化処理工程における効率的な消化処理が実現できる。しかも、ろ過面が循環するフィルタであれば、沈澱池のような大きな設置面積を要することもない。
【００６８】
処理水の窒素濃度が基準値より高い場合に、ろ過面の循環速度を上昇させ、処理水の窒素濃度が基準値より低い場合に、前記ろ過面の循環速度を低下させる。
【００６９】
処理水の窒素濃度が基準値より高い場合には、初期吸着処理におけるＢＯＤの除去率が上昇しているために脱窒効率が低下していると判断して、ろ過面の循環速度を上昇させることでろ過面に付着堆積する固形物層を薄くして微細なＳＳ及びＢＯＤや溶解性のＢＯＤの固形物側への捕捉を抑制することで、低下した脱窒効率が迅速に改善されるようになる。
【００７０】
また、処理水の窒素濃度が基準値より低い場合には、初期吸着処理におけるＢＯＤの除去率が低下しているために脱窒効率が上昇していると判断して、ろ過面の循環速度を低下させることでろ過面に付着堆積する固形物層を厚くして微細なＳＳ及びＢＯＤや溶解性のＢＯＤの固形物側への捕捉を促進することで、脱窒効率を基準値に迅速に戻すことができるようになる。
【００７１】
［水処理方法の第四の態様］
図４（ａ），（ｂ）には、合流式下水道の下水を被処理水とする場合の例が示されている。図４（ａ）は晴天時の水処理方法が示され、図４（ｂ）は雨天時の水処理方法が示されている。晴天時には、上述した水処理方法の第一の態様で被処理水が処理され、最大２Ｑの処理水が放流される。
【００７２】
被処理水の流入量が増加する雨天時には、曝気装置１０の汚泥濃度を引上げて初期吸着処理された汚泥の一部を沈殿槽４４に導き、沈殿槽４４で固液分離した処理水を消毒槽４６で消毒した後に、膜分離装置４３で濾過した処理水とともに河川などに放流することでピーク流量に対応することができる。この場合には、沈殿槽４４で沈殿した汚泥とともに好気槽４２の余剰汚泥を曝気装置１０に送泥すればよい。図４（ｂ）に示した符号４５は沈澱効率を向上させるための傾斜板である。
【００７３】
上述した実施形態は本発明の一態様であり、該記載により本発明が限定されるものではなく、各部の具体的構成は本発明の作用効果が奏される範囲で適宜変更設計可能であることはいうまでもない。
【符号の説明】
【００７４】
１０：曝気装置
２０：ろ過装置
３０：消化処理装置
４０：生物処理装置
５０：送泥装置
６０：調整装置
７０：発電装置
１００：水処理装置
【図１】
2020203265.tif 000003
【図２】
2020203265.tif 000004
【図３】
2020203265.tif 000005
【図４】
2020203265.tif 000006
【図５】
2020203265.tif 000007